(57)【要約】【課題】  新設、改装にかかわらず、建物開口部に配置することにより、建具の防火性能を向上させることができる建具を提供する。【解決手段】  建物開口部の内周に配置された室内側建具と、建物開口部における室内側建具の室外側に配置された室外側建具とを備え、室外側建具は、建物開口部における水密性能・気密性能及び耐風圧性能を担保するとともに、室内側建具は、建物開口部における防火性能を担保する。【選択図】図５
2018021446.tif 000002
【特許請求の範囲】
【請求項１】
建物開口部の内周に配置された室内側建具と、建物開口部における室内側建具の室外側に配置された室外側建具とを備え、
室外側建具は、建物開口部における水密性能・気密性能及び耐風圧性能を担保するとともに、室内側建具は、建物開口部における防火性能を担保する
ことを特徴とする二重建具。
【請求項２】
水密性能・気密性能及び耐風圧性能を備える建具が配置された建物開口部の室内側に取り付け可能な枠体を備え、建物開口部における防火性能を担保する
ことを特徴とする室内側建具。
【発明の詳細な説明】
【技術分野】
【０００１】
建築物等の開口部に配置され、開口部における防火機能を発揮する建具に関する。
【背景技術】
【０００２】
従来、建築物の開口部に配置される建具には、水密性・気密性・耐風圧性を備える建具が配置されている。
【先行技術文献】
【特許文献】
【０００３】
【特許文献１】特許第３２８４７０９号公報
【発明の概要】
【発明が解決しようとする課題】
【０００４】
近年、建築物の建具には、防火性能が求められるようになり、建物開口部に設置されている建具に対して、防火性能を付与するための改装等が求められる場合がある。
しかし、建物開口部に設置されている建具を、防火性能を備えた建具に改装するには、枠体を取り外すなど改修工事が大がかりとなる場合があり、手間がかかっていた。
【０００５】
本発明は、上記の事情を鑑みたものであり、建物開口部に配置することにより、建具の防火性能を向上させることができる建具を提供することを目的とする。
【課題を解決するための手段】
【０００６】
本願の請求項１に係る発明は、建物開口部の内周に配置された室内側建具と、建物開口部における室内側建具の室外側に配置された室外側建具とを備え、室外側建具は、建物開口部における水密性能・気密性能及び耐風圧性能を担保するとともに、室内側建具は、建物開口部における防火性能を担保することを特徴とする。
本願の請求項２に係る発明は、水密性能・気密性能及び耐風圧性能を備える建具が配置された建物開口部の室内側に取り付け可能な枠体を備え、建物開口部における防火性能を担保することを特徴とする。
【発明の効果】
【０００７】
本発明によれば、防火建具を室内側建具として配置することにより、建物開口部に防火性能を付与することができる。
【図面の簡単な説明】
【０００８】
【図１】本発明の実施形態に係る二重建具の縦断面図である。
【図２】本発明の実施形態に係る二重建具の横断面図である。
【図３】本発明の実施形態に係る二重建具を構成する室外側建具の縦断面図である。
【図４】本発明の実施形態に係る二重建具を構成する室外側建具の横断面図である。
【図５】本発明の実施形態に係る二重建具を構成する室内側建具の縦断面図である。
【図６】本発明の実施形態に係る二重建具を構成する室内側建具の横断面図である。
【図７】本発明の他の実施形態に係る二重建具を構成する室内側建具の縦断面図である。
【図８】本発明の他の実施形態に係る二重建具を構成する室内側建具の横断面図である。
【発明を実施するための形態】
【０００９】
（二重建具の全体構成）
本発明の防火建具について、気密性・断熱性を備える複合サッシが配置されている建物開口部に対して、防火機能を備える防火サッシを配置することにより、全体として防火建具に改修した改修防火建具を用いて説明する。
本発明の実施形態に係る改修防火建具は、図１，２に示すように、建物開口部の室外側に配置される気密機能、断熱機能を有する室外側建具Ａと、室外側建具Ａの室内側に配置される防火機能を有する室内側建具Ｂを備えている。
【００１０】
−室外側建具−
室外側建具Ａは、建物開口部の室外側に半外付け状に配置されており、建物開口部の内周に固定される枠体１に対して、内障子２及び外障子３が引違い自在に配置されるとともに、網戸障子４が配置されている。
室外側建具Ａを構成する枠体１は、アルミ合金等の金属材料により形成された室内側及び室外側の枠材を断熱ブリッジにより連結して構成され、また、室外側建具Ａを構成する内、外障子２，３の框体は、金属框の室内側に樹脂框を配置して構成されることで、高い断熱性能を備えている。
また、枠体１と内、外障子２，３の框体間には、気密材による気密ラインが形成されるとともに、風止め部材が設けられており、建具として必要な水密性能、気密性能及び耐風圧性能を備えている。
以下、室外側建具Ａの構造について具体的に説明する。
【００１１】
（室外側建具の枠体）
室外側建具Ａの枠体１は、上枠１１，下枠１２及び左、右縦枠１３，１４を四周に枠組することにより形成されている。
上枠１１は、図３に示すように、アルミ合金等の押出形材からなる室外上枠１１１と室内上枠１１２を断熱性を有する樹脂材料等からなるブリッジ部材１１３で連結して形成されており、室外上枠１１１の下面には外障子３の上端を案内する室外側上レール１１１ａ及び網戸障子４の上端を案内する網戸上レール１１１ｂが下方に垂設され、室内上枠１１２の下面には内障子２の上端を案内する室内側上レール１１２ａが下方に垂設されている。
【００１２】
上枠１１の室外側上レール１１１ａと室内側上レール１１２ａとの間であって、外障子３と内障子２の召合框の上方位置にはヒレ状の風止め部材１１４ａが配置されており、また、上枠１１の網戸上レール１１１ｂと室外側上レール１１１ａとの間であって、外障子３の召合框の上方位置にはヒレ状の風止め部材１１４ｂが配置されている。
また、室内上枠１１２の室内側上レール１１２ａの室内側面から室内上枠１１２の内周面にかけて樹脂上枠１１５が配置されており、樹脂上枠１１５の室内側には建物開口部の内周に至る顎部１１５ａが形成されている。
そして、樹脂上枠１１５は、図１に示すように、室内上枠１１２の内周面とともにビス等の固定手段ｂ１により建物開口部に固定されており、さらに、顎部１１５ａがビス等の固定手段ｂ２により建物開口部に対して固定されている。
【００１３】
下枠１２は、図３に示すように、アルミ合金等の押出形材からなる中空構造の室外下枠１２１と室内下枠１２２を断熱性を有する樹脂材料等からなるブリッジ部材１２３で連結して形成されており、室外下枠１２１の上面には、外障子３を案内する室外側下レール１２１ａ及び網戸障子４を案内する網戸下レール１２１ｂが上方に向けて設けられているとともに、室内下枠１２２の上面には、内障子２を案内する室内側下レール１２２ａが上方に向けて設けられている。
【００１４】
下枠１２の室外側下レール１２１ａと室内側下レール１２２ａとの間であって、内、外障子２，３の閉鎖時において外障子３が配置される部位には、室内下枠１２２から室外下枠１２１にかけて上面を覆う樹脂カバー部材１２４が配置されている。
また、室内下枠１２２の室内側下レール１２２ａの室内側面から室内下枠１２２の内周面にかけて樹脂下枠１２５が配置されており、樹脂下枠１２５の室内側には建物開口部の内周に至る顎部１２５ａが形成されている。
【００１５】
左縦枠１３は、図４に示すように、アルミ合金等の押出形材からなる左縦枠本体１３１の内周に外障子３の戸先框に配置された引寄部材ｆが当接する内周突壁１３１ａが設けられており、左縦枠本体１３１の室内側内周面には、樹脂左縦枠１３２が係合配置されている。
樹脂左縦枠１３２は、左縦枠本体１３１の室内側内周面を覆う本体部１３２ａと本体部１３２ａの室内側に連続する顎部１３２ｂとを有し、本体部１３２ａの室外側内周端から外障子３の戸先框３３に向けて気密部１３２ｃが延設されている。
【００１６】
右縦枠１４は、図４に示すように、アルミ合金等の押出形材からなる右縦枠本体１４１の内周に内障子２の戸先框２４に配置された引寄部材ｆが当接する内周突壁１４１ａが設けられており、右縦枠本体１４１の内周突壁１４１ａよりも室内側内周面には、樹脂右縦枠１４２が配置されている。
樹脂右縦枠１４２は、右縦枠本体１４１の内周面を覆う本体部１４２ａと本体部１４２ａの室内側に連続する顎部１４２ｂとを有している。
【００１７】
（室外側建具の内、外障子）
室外側建具Ａの内障子２は、図３，４に示すように、上框２１，下框２２及び左、右縦框２３，２４を四周に組んで、その内周に複層ガラス等のパネル体２５を取り付けて形成されている。
内障子２の上框２１は、図３に示すように、アルミ合金等の押出形材からなり中空部を有する金属上框２１１と金属上框２１１の室内側に係合され中空部を有する樹脂上框２１２とを備えており、金属上框２１１の室外側内周面を延設してなる室外側間口壁２１１ａと樹脂上框２１２の室内側内周面を延設してなる室内側間口壁２１２ａとによって、複合ガラス等のパネル体２５を保持するパネル間口２１ａが形成されている。
金属上框２１１の外周には室内側上レール１１２ａに案内される開口部２１１ｂを有しており、開口部２１１ｂを形成する室外側壁の室内側面には、室内側上レール１１２ａの室外側面に当接する気密材ｓ１が配置されて内障子２の上框２１と上枠１１との間の気密ラインを形成している。
また、樹脂上框２１２の上端には室内側上レール１１２ａの室内側面に近接するヒレ部２１２ｂが設けられており、開口部２１１ｂ内を半密閉空間として内障子２の上框２１における断熱性を向上させている。
【００１８】
内障子２の下框２２は、図３に示すように、アルミ合金等の押出形材からなり中空部を有する金属下框２２１と、金属下框２２１の室内側に係合され中空部を有する樹脂下框２２２とを備えており、金属下框２２１の室外側内周面を延設してなる室外側間口壁２２１ａと樹脂下框２２２の室内側内周面を延設してなる室内側間口壁２２２ａとによって、複合ガラス等のパネル体２５を保持するパネル間口２２ａが形成されている。
金属下框２２１の外周には室内側下レール１２２ａに案内される開口部２２１ｂを有しており、開口部２２１ｂを形成する室外側壁の室内側面には、室内側下レール１２２ａの室外側面に当接する気密材ｓ２が配置されて内障子２の下框２２と下枠１２との間の気密ラインを形成している。
また、樹脂下框２２２の下端に室内側下レール１２２ａの室内側面に近接するヒレ部２２２ｂが設けられており、開口部２２１ｂ内を半密閉空間として内障子２の下框２２における断熱性を向上させている。
下框２２の所定位置には、室内側下レール１２２ａ上を走行する車輪２２２ｃが配置され、室内側下レール１２２ａ上を走行自在に配置されている。
【００１９】
内障子２の戸先（右縦）框２４は、図４に示すように、アルミ合金等の押出形材からなり中空部を有する金属右縦框２４１と金属右縦框２４１の室内側に係合され中空部を有する樹脂右縦框２４２とを備えており、金属右縦框２４１の室外側内周面を延設してなる室外側間口壁２４１ａと樹脂右縦框２４２の室内側内周面を延設してなる室内側間口壁２４２ａとによって、複合ガラス等のパネル体２５を保持するパネル間口２４ａが形成されている。
金属右縦框２４１の外周には引寄部材ｆが取り付けられる開口部２４１ｂを有しており、開口部２４１ｂを形成する室外側壁の室内側面には、右縦枠１４の内周突壁１４１ａに当接する気密材ｓ６が配置されて内障子２の戸先（右縦）框２４と右縦枠１４との間の気密ラインを形成している。
なお、内障子２の右縦框２４の上端には、図示しない振れ止め部材が配置されており、室内側上レール１１２ａに対して内障子２が開閉中などにぐらつくことを防止している。
【００２０】
内障子２の召合（左縦）框２３は、図４に示すように、アルミ合金等の押出形材からなり中空部を有する金属左縦框２３１と金属左縦框２３１の室内側及び外周側を覆うように係合される樹脂左縦框２３２とを備えており、金属左縦框２３１の室外側内周面を延設してなる室外側間口壁２３１ａと樹脂左縦框２３２の室内側内周部２３２ａとによって、複合ガラス等のパネル体２５を保持するパネル間口２３ａが形成されている。
召合（左縦）框２３の室外側面には、外障子３の召合框３４の室内側面との間に煙り返しを形成する煙返し片が形成されており、また、召合（左縦）框２３の外周面には、クレセント錠８１が取り付けられている。
【００２１】
パネル体２５は、図３，４に示すように、室内側網ガラスと室外側ガラスとをスペーサ及びシール材を介して二重に配置してなる複合ガラスにより形成されており、上框２１，下框２２及び左、右縦框２３，２４のパネル間口に対して、グレイジングチャンネルを介して取り付けられている。
【００２２】
室外側建具Ａの外障子３は、図３，４に示すように、上框３１，下框３２及び左、右縦框３３，３４を四周に組んで、その内周に複層ガラス等のパネル体３５を取り付けて形成されている。以下に外障子３について説明するが、外障子３と内障子２とは、基本的のその構成を同じくするものであるため、内障子２の構成と同様の構成については、その説明を省略する。
外障子３の上框３１は、図３に示すように、金属上框３１１と樹脂上框３１２とを備えており、樹脂上框３１２の形状が内障子２の上框２１と若干異なっている。
そして、金属上框３１１の開口部３１１ｂを形成する室外側壁の室内側面には、室外側上レール１１１ａの室外側面に当接する気密材ｓ３が配置されて外障子３の上框３１と上枠１１との間の気密ラインを形成している。
また、樹脂上框３１２の上端には室外側上レール１１１ａの室内側面に近接するヒレ部３１２ｂが設けられており、開口部３１１ｂ内を半密閉空間として内障子２の上框２１における断熱性を向上させている。
【００２３】
外障子３の下框３２は、図３に示すように、金属下框３２１と樹脂下框３２２とを備えており、樹脂下框３２２の形状が内障子２の下框２２と若干異なっている。
そして、金属下框３２１の開口部３２１ｂを形成する室外側壁の室内側面には、室外側下レール１２１ａの室外側面に当接する気密材ｓ４が配置されて外障子３の下框３２と下枠１２との間の気密ラインを形成している。
また、樹脂下框３２２の下端に室外側下レール１２１ａの室内側面に近接するヒレ部３２２ｂが設けられており、開口部３２１ｂ内を半密閉空間として外障子３の下框３２における断熱性を向上させている。
【００２４】
外障子３の戸先（左縦）框３３は、図４に示すように、金属左縦框３３１と樹脂左縦框３３２とを備えており、内障子２の戸先框２４とほぼ同様の構成を備えている。
金属左縦框３３１の開口部３３１ｂを形成する室外側壁の室内側面には、左縦枠１３の内周突壁１３１ａに当接する気密材ｓ５が配置されて外障子３の戸先（左縦）框３３と左縦枠１３との間の気密ラインを形成している。
また、左縦枠１３の樹脂左縦枠１３２の気密部１３２ｃが左縦框３３に当接することで、左縦框３３の開口部３２１ｂを密閉空間として外障子３の左縦框３３における断熱性を向上させている。
【００２５】
外障子３の召合（左縦）框３４は、図４に示すように、金属右縦框３４１を備え、金属右縦框３４１の室内側面に内障子２の金属左縦框２３１の室外側面に当接する気密材ｓ７が配置されており、召合わせ部における内障子２と外障子３との間の気密ラインを形成している。
また、金属右縦框３４１の室内側面には内障子２の召合框２３の煙返し片とともに煙返しを形成する煙返し片が形成されており、煙返し片の内周側には、クレセント受け８２が取り付けられている。
【００２６】
以上の本実施形態においては、室外側建具Ａは、外障子３及び内障子２と枠体１との間の気密材ｓ１乃至ｓ６、外障子３と内障子２の召合せ部の気密材ｓ７、及び枠体１の上枠１１下面に設けた風止め部材１１４ａとにより、建具全体に亘って気密ラインが形成され、建物開口部における水密性、気密性及び耐風圧性を確保するとともに、断熱部材から形成されたブリッジにより連結された上枠１１及び下枠１２と、室内側に樹脂框を備える複合材料により内障子２及び外障子３の框材を形成することで、断熱性を備えている。
【００２７】
−室内側建具（防火建具）−
室内側建具Ｂは、建物開口部の室内側の内周面に固定される枠体５に対して、内障子６及び外障子７が引違い自在に配置されている。
室内側建具Ｂを構成する枠体５及び内、外障子６，７の框体は、アルミ合金等の金属材料のみからなり断熱性を向上させるための樹脂部材を用いずに形成されており、また、パネル体として耐火性耐熱性を有する単板ガラスを採用することで、建具として高い防火性能を有している。
【００２８】
（室内側建具の枠体）
室内側建具Ｂの枠体５は、アルミ合金等の押出形材により形成される略板状構造の複数の枠材、具体的には、上枠５１，下枠５２及び左、右縦枠５３，５４を備えている。
各枠材は、金属材料のみにより構成されており、それらが枠組されることなく、図５，６に示すように、上枠５１，下枠５２及び左、右縦枠５３，５４が建物開口部の内周面にビス等の固定手段により固定されることで開口部の四周に亘る枠体５が形成されている。
【００２９】
上枠５１は、図５に示すように、建物開口部の内周面上面にビス等の固定部材ｂ，ｂにより固定される略平板状の上枠本体５１１と上枠本体５１１の下面より垂設される室内側上レール５１１ａ及び室外側上レール５１１ｂを備えている。
上枠本体５１１の室内側端には、室内側壁５１１ｃが下方に垂設されており、その先端は内、外障子６，７の上端と見込み方向において重複している。
そして、上枠５１の室内側上レール５１１ａと室外側上レール５１１ｂとの間であって、内障子６及び外障子７の召合框の上方位置にはヒレ状の風止め部材５１２が配置されている。
さらに、上枠５１の室内側上レール５１１ａと室外側上レール５１１ｂとの間には、火災時の加熱により膨張する加熱膨張材ｆ１が配置されている。
【００３０】
下枠５２は、図５に示すように、建物開口部の内周面下面にビス等の固定部材ｂ，ｂにより固定される略平板状の下枠本体５２１と下枠本体５２１の上面より立設される室内側下レール５２１ａ及び室外側下レール５２１ｂを備えている。
下枠本体５２１の室内側端には、室内側壁５２１ｃが上方に立設されており、その先端は内、外障子６，７の下端と見込み方向において重複している。
【００３１】
左、右縦枠５３，５４は、図６に示すように、建物開口部の両縦内周面にビス等の固定部材ｂ，ｂにより固定される略平板状の左、右縦枠本体５３１，５４１と左、右縦枠本体５３１，５４１の内周面に形成されて内障子６もしくは外障子７の戸先框６４，７３に配置される気密材ｓ１５，ｓ１６が当接する当接壁５３１ａ，５４１ａを備えている。
なお、建物開口部の四隅において、横枠（上枠５１，下枠５２）の室内側上レール５１１ａ、室外側上レール５１１ｂ及び室内側下レール５２１ａ、室外側下レール５２１ｂもしくは縦枠（左縦枠５３，右縦枠５４）の当接壁５３１ａ，５４１ａの一部が切欠かれることにより、上枠５１，下枠５２及び左、右縦枠５３，５４を四周に亘って固定することができ枠体５が構成されている。
【００３２】
以上の本実施形態においては、建物開口部の室内側に配置される室内側建具Ｂは、上下左右の枠体を略平板状の部材と略平板状の部材から立ち上がるレール等により構成されているので、略平板状の部材をビス等の固定部材によって建物開口部に取り付けることで、室外側建具が施工されている建物開口部に対して後付けで簡単に施工することができ、また、施工後の開口面積の減少を少なく抑えることができる
【００３３】
（室内側建具の内外障子）
室内側建具Ｂの内障子６は、図５，６に示すように、アルミ合金等の押出形材により形成される上框６１，下框６２及び左、右縦框６３，６４を四周に組んで、その内周にパネル体６５を取り付けて形成されており、内障子６を構成する各框は金属材料のみから構成されている。
内障子６の上框６１は、図５に示すように、内周側にはパネル体６５を保持するためのパネル間口６１ａが、外周側には室内側上レール５１１ａに案内される開口部６１ｂを備えている。
開口部６１ｂを構成する室外側壁には室内側上レール５１１ａに当接する気密材ｓ１１が取り付けられているとともに、開口部６１ｂの底部には、火災時の加熱により膨張する加熱膨張材ｆ２が配置されている。
【００３４】
内障子６の下框６２は、図５に示すように、内周側にはパネル体６５を保持するためのパネル間口６２ａが、外周側には室内側下レール５２１ａに案内される開口部６２ｂを備えている。
開口部６２ｂを構成する室外側壁には室内側下レール５２１ａに当接する気密材ｓ１２が取り付けられているとともに、開口部６２ｂを構成する室内側壁の室外側面には、火災時の加熱により膨張する加熱膨張材ｆ３が配置されている。
下框６２のパネル間口６２ａ内には、下方に向けて開口する断面略逆Ｕ字状の補強部材６２１が配置され、同開口部６２ｂ内には、室内側に向けて開口する断面略Ｕ字状の補強部材６２２が配置されている。
また、開口部６２ｂの所定位置には、室内側下レール５２１ａ上を走行する車輪６２３が配置され、室内側下レール５２１ａ上を走行自在に配置されている。
【００３５】
内障子６の戸先（右縦）框６４は、図６に示すように、中空部を有する右縦框本体６４ａと右縦框本体６４ａの内周側に形成されるパネル間口６４ｂと右縦框本体６４ａの外周側に形成される戸先開口部６４ｃとを有し、戸先開口部６４ｃを構成する室外側壁の室内側面には、右縦枠５４の当接壁５４１ａに当接する気密材ｓ１６が配置されている。
戸先（右縦）框６４の右縦框本体６４ａの中空内部には、室外側に向けて開口する断面略Ｕ字状の補強部材６４１が配置され、パネル間口６４ｂ内には、外周側に向けて開口する断面略Ｕ字状の補強部材６４２が配置されている。
【００３６】
内障子６の召合（左縦）框６３は、図６に示すように、中空部を有する左縦框本体６３ａと左縦框本体６３ａの内周側に形成されるパネル間口６３ｂを備えており、召合（左縦）框６３の室外側面には、外障子７の召合框７４の室内側面との間に煙返しを形成する煙返し片が形成されており、また、召合（左縦）框６３の外周面には防火クレセント錠８３が取り付けられている。
召合（左縦）框６３の左縦框本体６３ａの中空内部には、内周部及び室内側部を有する断面略Ｌ字状の補強部材６３１が配置され、同パネル間口６３ｂ内には、外周側に向けて開口する断面略Ｕ字状の補強部材６３２が配置されている。
【００３７】
パネル体６５は、図５，６に示すように、耐火性耐熱性を有するガラス、より具体的には単板ガラスにより形成されており、上框６１，下框６２及び左、右縦框６３，６４のパネル間口に対して、難燃性のグレイジングチャンネルを介して取り付けられている。
【００３８】
室内側建具Ｂの外障子７は、図５，６に示すように、アルミ合金等の押出形材により形成される上框７１，下框７２及び左、右縦框７３，７４を四周に組んでなり、その内周にパネル体７５を取り付けて形成されている。以下に外障子７について説明するが、外障子７と内障子６とは、基本的のその構成を同じくするものであるから、内障子６の構成と同様の構成については、その説明を省略する。
【００３９】
外障子７の上框７１は、図５に示すように、開口部７１ｂを構成する室外側壁には室外側上レール５１１ｂに当接する気密材ｓ１３が取り付けられているとともに、開口部７１ｂの底部には、火災時の加熱により膨張する加熱膨張材ｆ４が配置されている。
外障子７の下框７２は、図５に示すように、開口部７２ｂを構成する室外側壁には室外側下レール５２１ｂに当接する気密材ｓ１４が取り付けられているとともに、開口部７２ｂを構成する室内側壁の室外側面には、火災時の加熱により膨張する加熱膨張材ｆ５が配置されている。
下框７２のパネル間口７２ａ内には、下方に向けて開口する断面略逆Ｕ字状の補強部材７２１が配置され、同開口部７２ｂ内には、室内側に向けて開口する断面略Ｕ字状の補強部材７２２が配置されている。
【００４０】
外障子７の戸先（左縦）框７３は、図６に示すように、戸先開口部７３ｃを構成する室外側壁の室内側面に、左縦枠５３の当接壁５３１ａに当接する気密材ｓ１５が配置されている。
戸先（左縦）框７３の左縦框本体７３ａの中空内部には、室外側に向けて開口する断面略Ｕ字状の補強部材７３１が配置され、パネル間口７３ｂ内には、外周側に向けて開口する断面略Ｕ字状の補強部材７３２が配置されている。
【００４１】
外障子７の召合（右縦）框７４は、図６に示すように、アルミ合金等の押出形材からなり中空部を有する右縦框本体７４ａと右縦框本体７４ａの内周側に形成されるパネル間口７４ｂを備えており、右縦框本体７４ａの室内側面には内障子６の召合框６３の煙返し片とともに煙返しを形成する煙返し片が形成されて、煙返し片の内周側には、防火クレセント受け８４が取り付けられている。
召合（右縦）框７４の右縦框本体７４ａの中空内部には、内周部及び室外側部を有する断面略Ｌ字状の補強部材７４１が配置され、同パネル間口７４ｂ内には、外周側に向けて開口する断面略Ｕ字状の補強部材７４２が配置されている。
【００４２】
以上の実施形態においては、建物開口部の室内側に配置される室内側建具Ｂは、上枠５１の室内側上レール５１１ａと室外側上レール５１１ｂとの間に加熱膨張材ｆ１が配置されているとともに、内、外障子６，７の上框６１，７１の開口部６１ｂ，７１ｂの底部には、加熱膨張材ｆ２，ｆ４が配置されているので、火災時には加熱膨張材ｆ１，ｆ２，ｆ４が膨張することで、室内側建具Ｂにおける上枠と障子上方部分との間の連通を防止することができる。
同様に、内、外障子６，７の下框６２，７２の開口部６２ｂ，７２ｂには、加熱膨張材ｆ３，ｆ５が配置されているので、火災時には加熱膨張材ｆ３，ｆ５が膨張することで、室内側建具Ｂにおける下枠と障子下方部分との間の連通を防止することができる。
【００４３】
また、室内側建具Ｂの下框６２，７２及び左、右縦框６３，６４，７３，７４には、補強部材が配置されており、内、外障子６，７が防火クレセント錠８３及び防火クレセント受け８４により係合されているので、火災時にアルミ合金等により形成された框体が熱によって溶けても補強部材及び防火クレセントの係合により内、外障子６，７の形状を保つことができ、加熱膨張材ｆ１乃至ｆ５による枠体と障子との間の連通を遅らせることができる。
さらに、内、外障子６，７のパネル体６５，７５を耐火性耐熱性を備える単板の防火ガラスにより形成することで、熱によるガラス板の変形を防止するとともに、複合ガラス板間を保持するシール部材が燃えることによる可燃性ガスの発生を防止することができる。
【００４４】
すなわち、上記の実施形態の室内側建具（防火建具）Ｂは、建物開口部に配置される枠体と、枠体の内周に配置されパネル体を有する障子を備え、枠体は、金属材料のみからなる略板状構造の複数の枠材を備え、複数の枠材が建物開口部の内周に固定されることで枠体を形成し、障子は、金属材料のみからなる框体の内周に耐火性耐熱性を有するガラスを配置して形成されており、建物開口部に設置されることで建物開口部の防火性能を担保するから、建物開口部において、従来建具の内側に配置することにより、建物開口部に防火性能を付与することができる
そして、上記の実施形態の二重建具は、建物開口部に配置される室外側建具及び室内側建具を備え、室内側建具として、上記防火建具を配置することにより、従来建具に対して簡単に防火機能を付与することができ、全体として、水密性、気密性、耐風圧性及び防火性を備える建物開口部を構成することができる。
【００４５】
以上のように、本発明の実施形態の防火建具においては、できるだけ火炎や熱に弱い材料を用いることなく、アルミ合金等の金属材料のみからなる枠体と、アルミ合金等の金属材料のみからなる框体と耐火性防火性を備えるガラスからなる障子との組み合わせにより、防火性能に特化した建具を構成することができ、この防火建具の枠体を板状部材の内周面にレール等の必要部位を形成した単純な形状の枠体により形成することにより、従来の防火性能を有しない（室外側）建具の室内側に枠体をネジ止め等固定して建物開口部に設置されることで建物開口部の防火性能を担保することができる。
そして、上記防火建具を、建物開口部における水密性、気密性及び耐風圧性を担保する建具と組み合わせて二重建具を構成することにより，全体として、水密性、気密性、耐風圧性及び防火性を有する建具を、簡単、確実に構築することができる。
【００４６】
−他の実施形態の室内側建具（防火建具）−
本発明の他の実施形態の室内側建具Ｂ２の枠体５は、略板状構造の上枠５６，下枠５７及び左、右縦枠５８，５９を備えており、各枠材は、枠組されることなく、図７，８に示すように、上枠５６，下枠５７及び左、右縦枠５８，５９が建物開口部の内周面に固定されることで開口部の四周に亘る枠体５が形成されている。
【００４７】
上枠５６は、図７に示すように、樹脂材料からなる略平板状の上枠本体５６１と、アルミ合金等の金属材料からなり上枠本体５６１の内周面(下面)に配置される上レール部材５６２を有しており、上枠本体５６１と上レール部材５６２は、ビス等の固定手段ｂ４により、建物開口部の内周面上面にともに固定されている
上枠本体５６１は、建物開口部に固定される上枠本体部５６１ａと、上枠本体部５６１ａの室内側端から垂下する室内側壁５６１ｂを有し、上枠本体部５６１ａと建物開口部の内周面との間には、見付け方向のほぼ全長に沿って室内外２条の加熱膨張材ｆ６１，f６１が配置されている。
上レール部材５６２は、室内外の両端部より下方に垂設される室内側上レール５６２ａ及び室外側上レール５６２ｂを有しており、上レール部材５６２の内周面で室内側上レール５６２ａと室外側上レール５６２ｂとの間に加熱膨張材ｆ６２が配置されている。
そして、上枠５６の室内側上レール５６２ａと室外側上レール５６２ｂとの間であって、内障子６及び外障子７の召合框の上方位置にはヒレ状の風止め部材５６３が配置されている。
【００４８】
下枠５７は、図７に示すように、樹脂材料からなる略平板状の下枠本体５７１と、アルミ合金等の金属材料からなり下枠本体５７１の内周面（上面）に配置される下レール部材５７２を有しており、下枠本体５７１と下レール部材５７２は、ビス等の固定手段ｂ４により、建物開口部の内周面下面にともに固定されている。
下枠本体５７１は、建物開口部に固定される下枠本体部５７１ａと、下枠本体部５７１ａの室内側端から上方に立設される室内側壁５７１ｂを有しており、下枠本体部５７１ａと建物開口部の内周面との間には、見付け方向のほぼ全長に沿って室内外２条の加熱膨張材ｆ７１，f７１が配置されている。
下レール部材５７２は、室内外に立設する室内側下レール５７２ａ及び室外側下レール５７２ｂを有しており、下レール部材５７２の内周面で室内側下レール５７２ａと室外側下レール５７２ｂとの間に加熱膨張材ｆ７２が配置されている。
【００４９】
左、右縦枠５８，５９は、図８に示すように、樹脂材料からなる略平板状の左、右縦枠本体５８１，５９１を有しており、ビス等の固定部材ｂ５，ｂ５により、建物開口部の両縦内周面に固定されている。
左、右縦枠本体５８１，５９１は、建物開口部に固定される左、右縦枠本体部５８１ａ，５９１ａと、左、右縦枠本体部５８１ａ，５９１ａの見込み方向略中央位置から内周方向に突設される中央壁５８１ｂ，５９１ｂと、左、右縦枠本体部５８１ａ，５９１ａの室内側端から内周方向に突設される室内側壁５８１ｃ，５９１ｃと、左、右縦枠本体部５８１ａ，５９１ａの室外側端から内周方向に突設される室外側壁５８１ｄ，５９１ｄとを有しており、左、右縦枠本体部５８１ａ，５９１ａと建物開口部の内周面との間には、見付け方向のほぼ全長に沿って室内外２条の加熱膨張材ｆ８１，ｆ８１，ｆ９１，f９１が配置されている。
中央壁５８１ｂ，５９１ｂの内周端には、室内外両側にヒレ状の気密片が設けられており、内障子６もしくは外障子７の閉鎖時において、内、外障子６，７の戸先框６９，７８に当接する。
【００５０】
左縦枠５８の中央壁５８１ｂよりも室外側の内周面、および、右縦枠５９の中央壁５９１ｂよりも室内側の内周面に、金属材料からなり断面略Ｌ字状の長尺部材である補強部材５８２，５９２が配置されている。左縦枠５８に配置される補強部材５８２は、左縦枠５８の中央壁５８１ｂの室外側面と左縦枠本体部５８１ａの内周面を覆い、右縦枠５９に配置される補強部材５９２は、右縦枠５９の中央壁５９１ｂの室内側面と右縦枠本体部５９１ａの内周面を覆い、それぞれ固定部材ｂ５によって、左、右縦枠本体部５８１ａ，５９１ａとともに建物開口部に固定されている。
左、右縦枠５８，５９に配置された補強部材５８２，５９２の内周面には、加熱膨張材ｆ８２，ｆ９２が配置されている。
【００５１】
なお、他の実施形態の室内側建具Ｂ２においても、建物開口部の四隅において、横枠（上枠５６，下枠５７）の上レール部材５６２及び下レール部材５７２の少なくとも室内側上レール５６２ａ、室外側上レール５６２ｂ及び室内側下レール５７２ａ、室外側下レール５７２ｂもしくは縦枠（左縦枠５８，右縦枠５９）の中央壁５８１ｂ，５９１ｂの一部が切欠かれることにより、上枠５６，下枠５７及び左、右縦枠５８，５９を四周に亘って固定することができ枠体５が構成されている。
【００５２】
以上の他の実施形態においては、建物開口部の室内側に配置される室内側建具Ｂ２は、上下左右の枠体を略平板状の部材と上下のレール部材等により構成されているので、略平板状の部材を建物開口部に配置し、上、下枠体の内周面に上、下レール部材を配置して、ビス等の固定手段によって建物開口部に固定して施工することができるので、室外側建具が既に施工されている建物の開口部に対して後付けで簡単に施工することができ、また、施工後の開口面積の減少を少なく抑えることができる。
【００５３】
（室内側建具の内外障子）
以上の他の実施形態の室内側建具Ｂ２の内障子６は、図７，８に示すように、上框６６，下框６７及び左、右縦框６８，６９を四周に組んで、その内周にパネル体６５を取り付けて形成されている。
内障子６の上框６６は、図７に示すように、樹脂材料からなる上框本体６６１と、アルミ合金等の金属材料からなり上框本体６６１に内装される補強芯材６６２を有している。
上框本体６６１は、パネル体６５を保持するためのパネル間口６６１ａと、パネル間口６６１ａの外周側に形成され室内側上レール５６２ａに案内される開口部６６１ｂを有し、開口部６６１ｂ内に補強芯材６６２が配置されている。
【００５４】
パネル間口６６１ａ内には、スチール等の金属材料からなりパネル体６５を保持する補強部材６６３が配置されており、パネル体６５が、補強部材６６３及び難燃性のグレイジングチャンネルを介してパネル間口６６１ａに保持されている。
また、開口部６６１ｂを構成する室内、外側壁の上端には室内側上レール５６２ａに当接もしくは近接する気密片が設けられている。
【００５５】
補強芯材６６２は、開口部６６１ｂの底部に沿って配置される底壁部６６２ａと、底壁部６６２ａの室内側端部及び室外側端部から開口部６６１ｂの内壁に沿って立設された室内壁部６６２ｂ及び室外壁部６６２ｃを有しており、底壁部６６２ａの外周面（上面）に加熱膨張材ｆ６３が配置されるとともに、底壁部６６２ａの下面と開口部６６１ｂの底部との間に、加熱膨張材ｆ６４が配置されている。
補強芯材６６２と補強部材６６３とは、開口部６６１ｂの底壁及び加熱膨張材ｆ６４を間にして連結手段を介して連結されており、補強部材６６３の底面とグレイジングチャンネルとの間には加熱膨張材ｆ６５が配置されている。
【００５６】
内障子６の下框６７は、図７に示すように、樹脂材料からなる下框本体６７１と、アルミ合金等の金属材料からなり下框本体６７１に内装される第１補強芯材６７２及び第２補強芯材６７３を有している。
下框本体６７１は、中空部を有する下框本体部６７１ａと、下框本体部６７１ａの内周側に形成されパネル体６５を保持するためのパネル間口６７１ｂと、下框本体部６７１ａの外周側に形成され室内側下レール５７２ａに案内される開口部６７１ｃを有している。
【００５７】
第１補強芯材６７２は、断面矩形の中空形状をなしており、下框本体部６７１ａの中空部内に配置されている。一方、第２補強芯材６７３は、矩形中空部と下方に開口する開口部を備える断面形状をなしており、下框本体部６７１ａの開口部６７１ｃの開口内に配置されている。第１補強芯材６７２の中空部内には、スチール等からなる断面略Ｕ字状の第１補強部材６７４が外周方向に開口するように配置され、第２補強芯材６７３の中空部内及び開口部内には、断面略Ｕ字状の第２補強部材６７５及び第３補強部材６７６がそれぞれ室内方向に開口するように配置されている。
【００５８】
パネル間口６７１ｂ内には、スチール等の金属材料からなりパネル体６５を保持する第４補強部材６７７が配置されており、パネル体６５が、第４補強部材６７７及び難燃性のグレイジングチャンネルを介してパネル間口６７１ｂに保持されている。
第４補強部材６７７と第１補強芯材６７２に配置された第１補強部材６７４は、パネル間口６７１ｂの底壁を挟んで連結手段を介して連結されており、第４補強部材６７７の底面とグレイジングチャンネルとの間には、加熱膨張材ｆ７３が配置されている。
また、第１補強芯材６７２と第２補強芯材６７３内に挿入された第２補強部材６７５は、間に下框本体部６７１ａの下壁を挟んで連結手段により連結されているとともに、第２補強部材６７５は第３補強部材６７６と連結手段により連結されている。
【００５９】
第３補強部材６７６の下面及び第２補強芯材６７３の室外側壁の下端室内側面及び室内側壁の下端室外側面には、それぞれ火災時の加熱により膨張する加熱膨張材ｆ７４が配置されている。
また、開口部６７１ｃの所定位置には、室内側下レール５７２ａ上を走行する車輪６７８が配置され、室内側下レール５７２ａ上を走行自在に配置されている。
【００６０】
内障子６の戸先（右縦）框６９は、図８に示すように、樹脂材料からなる右縦框本体６９１を有している。
右縦框本体６９１は、断面略矩形の中空部を有する右縦框本体部６９１ａと、右縦框本体部６９１ａの内周側に形成されパネル体６５を保持するためのパネル間口６９１ｂを有している。
右縦框本体部６９１ａの中空部内には、スチール等の金属材料からなり外周側に向けて開口する断面略Ｕ字状の第１補強部材６９２が配置されている。パネル間口６９１ｂ内には、同じく金属材料からなり内周側に向けて開口し、パネル体６５の端面を支持する断面略Ｕ字状の第２補強部材６９３が配置されており、パネル体６５が、第２補強部材６９３及び難燃性のグレイジングチャンネルを介してパネル間口６９１ｂに保持されている。
【００６１】
断面Ｕ字状の第１補強部材６９２の見込み壁および室内外の見付け壁の内周面には、火災時の加熱により膨張する加熱膨張材ｆ９３が配置されている。
第１補強部材６９２と第２補強部材６９３とは、右縦框本体部６９１ａの内周側の壁及び加熱膨張材ｆ９４を挟んで連結手段により連結されており、第２補強部材６９３の底面とグレイジングチャンネルとの間には加熱膨張材ｆ９５が配置されている。
【００６２】
内障子６の召合（左縦）框６８は、図８に示すように、樹脂材料からなる左縦框本体６８１を有している。
左縦框本体６８１は、中空部を有する左縦框本体部６８１ａと左縦框本体部６８１ａの室外側内周に形成されるパネル間口６８１ｂを有している。
召合（左縦）框６８の室外側面には、外障子７の召合框７９の室内側面との間に煙返しを形成する金属材料からなる煙返し片が取り付けられており、また、召合（左縦）框６８の外周面には防火クレセント錠８３が取り付けられている。
【００６３】
召合（左縦）框６８の左縦框本体部６８１ａの中空部内には、スチール等の金属材料からなり少なくともパネル間口６８１ｂの底壁に沿う面部及び左縦框本体部６８１ａの室外側面に沿う面部を有する第１補強部材６８２と、第１補強部材６８２に固定され少なくとも左縦框本体部６８１ａの室内側面に沿う面部を有する第２補強部材６８３が配置されている。一方、パネル間口６８１ｂ内には、内周側に向けて開口する断面略Ｕ字状の第３補強部材６８４が配置されており、パネル体６５が、第３補強部材６８４及び難燃性のグレイジングチャンネルを介してパネル間口６８１ｂに保持されている。
第１補強部材６８２と第３補強部材６８４は、間に左縦框本体部６８１ａの内周側の壁及び加熱膨張材ｆ８４を挟んで連結手段により連結されている。第３補強部材６８４の底面とグレイジングチャンネルとの間に加熱膨張材ｆ８５が配置されており、第１補強部材６８２と第２補強部材６８３の何れかに、加熱膨張材ｆ８３が配置されている。
【００６４】
パネル体６５は、耐火性、耐熱性を有するガラス、例えば、結晶化ガラスにより形成されており、図７,８に示すように、上框６６，下框６７及び左、右縦框６８,６９のパネル間口に対して、難燃性のグレイジングチャンネル及び補強部材を介して取り付けられている。
【００６５】
室内側建具Ｂ２の外障子７は、樹脂材料により形成される上框７６，下框７７及び左、右縦框７８，７９を四周に組んで、その内周にパネル体７５を取り付けて形成されている。
以下に、室内側建具Ｂ２の外障子７について説明するが、外障子７と内障子６とは、基本的のその構成を同じくするものであるから、内障子６の構成と同様の構成については、その説明を省略する。
【００６６】
外障子７の召合（右縦）框７９は、図８に示すように、樹脂材料からなる右縦框本体７９１を有している。
右縦框本体７９１は、中空部を有する右縦框本体部７９１ａと右縦框本体部７９１ａの内周側に形成されるパネル間口７９１ｂを有している。
召合（右縦）框７９の室内側面には内障子６の召合框６８の煙返し片とともに煙返しを形成する金属材料からなる煙返し片が取り付けられており、煙返し片の内周側には、防火クレセント受け８４が取り付けられている。
召合（右縦）框７９の右縦框本体部７９１ａの中空部内には、室内側に開口する断面略Ｕ字状の第１補強部材７９２が配置されている。一方、パネル間口７９１ｂ内には、内周側に向けて開口する断面略Ｕ字状の第２補強部材７９３が配置されており、パネル体７５が、第２補強部材７９３及び難燃性のグレイジングチャンネルを介してパネル間口７９１ｂに保持されている。
第１補強部材７９２と第２補強部材７９３は、間に右縦框本体部７９１ａの内周側の壁及び加熱膨張材ｆ９７を挟んで連結手段により連結されている。また、第１補強部材７９２には、火災時の加熱により膨張する加熱膨張材ｆ９６が配置されている。
【００６７】
以上の他の実施形態においては、建物開口部の室内側に配置される室内側建具Ｂ２は、樹脂材料からなる上枠５６、下枠５７及び左、右縦枠５８，５９の内周に金属材料からなるレール部材もしくは補強部材が配置されて枠体が形成されているとともに、枠体は、建物開口部との間に加熱膨張材を介在させて建物開口部に固定されている。したがって、火災時には、建物開口部との間に介在する加熱膨張材が膨張して、枠体が火災の熱によって変形、溶融して生じる建物開口部と枠体との間の隙間を塞ぐとともに、建物開口部における躯体を保護することができ、延焼を抑えることができる。
なお、枠体と建物開口部との間に配置する加熱膨張材は、枠体の外周面全域に配置するのではなく、室外側と室内側の２条に配置することで、加熱膨張材の過剰な膨張による枠体の変形を防止することができる。
【００６８】
また、室内側建具Ｂ２の内、外障子６，７は、樹脂材料からなる上框本体、下框本体及び左、右縦框本体に、金属材料からなる補強芯材もしくは補強部材が内装されており、補強芯材及び補強部材同士は連結手段により連結されているとともに、補強芯材及び補強部材の適宜部位には、加熱膨張材が配置されている。
特に、縦枠に対向する戸先框の縦框本体には、外周側に向けて開口する断面略Ｕ字状の補強部材が配置されており、補強部材の内周面の三面には加熱膨張材が配置されている。
したがって、室内側および室外側の何れの側からの火災に対しても早期に加熱膨張材が膨張し、補強部材の内周で膨張した加熱膨張材は外周側、すなわち縦枠や補強部材５８２，５９２に向けて膨張するので、樹脂材料からなる戸先框本体が溶融、消失したとしても、障子と枠体との間を確実に封鎖することができる。
【００６９】
さらに、建具の閉鎖時に外障子が配置される側の縦枠（左縦枠）においては、縦枠の中央壁の室外側面に補強部材及び加熱膨張材を配置し、建具の閉鎖時に内障子が配置される側の縦枠（右縦枠）においては、縦枠の中央壁の室内側面に補強部材及び加熱膨張材を配置して、左、右縦枠に配置する加熱膨張材を縦枠の見込み方向中央位置付近に配置するとともに、上、下枠においては、室内外レールを有する上、下レール部材の内外レール間に加熱膨張材を配置して、上、下枠に配置する加熱膨張材を上、下枠の見込み方向中央位置付近に配置することによって、火災時に枠体と内、外障子との間を封鎖する防火ラインを枠体の見込み方向中央位置において四周に連続して形成することができる。
したがって、火災時に樹脂材料からなる枠体や框体が溶融しても、連結された補強芯材及び補強部材を包むように加熱膨張材が膨張し、内、外障子６，７の形状を保つことができ、建具の四周にわたって、加熱膨張材によって枠体と障子との間の連通を遅らせることができる。
【００７０】
以上のように、本発明の他の実施形態の防火建具においては、樹脂材料により形成された枠体及び框体本体に金属材料から成る補強芯材もしくは補強部材を加熱膨張材と共に配置することで、防火性能に特化した建具を構成することができる。
そして、この防火建具の枠体は、板状部材の内周面にレール部材を配置した単純な形状の枠体として形成されているので、従来の防火性能を有しない（室外側）建具の室内側に枠体をビス等の固定手段を用いて建物開口部に設置することができ、建物開口部に簡単に高い防火性能を付与することができる。
そして、上記防火建具を、建物開口部における水密性、気密性及び耐風圧性を担保する建具と組み合わせて二重建具を構成することにより，全体として、水密性、気密性、耐風圧性及び防火性を有する建具を、簡単、確実に構築することができる。
【００７１】
なお、本発明において、室外側建具に対して水密性能、気密性能及び耐風圧性能に加えて防火性能等を備えているもの、同様に、室内側建具に対して防火性能に加えて水密性能、気密性能及び耐風圧性能等を備えているものを除外するものではなく、少なくとも室外側建具において建物開口部における水密性能、気密性能及び耐風圧性能を担保し、室内側建具において建物開口部における防火性能を担保するものであればよい。
また、室外側建具に対して、水密性能、気密性能及び耐風圧性能を付与する構成は、上記実施形態の構成に限るものではなく、同様に、室内側建具に対して防火性能を付与する構成も、上記実施形態の構成に限るものではない。
さらに、本発明において、室内側建具及び室外側建具は、それぞれ引違い窓に限定されるものではなく、どのようなタイプの窓を採用してもよい。
【符号の説明】
【００７２】
１        ：枠体
１１      ：上枠
１１１    ：室外上枠
１１１ａ  ：室外側上レール
１１１ｂ  ：網戸上レール
１１２    ：室内上枠
１１２ａ  ：室内側上レール
１１３    ：ブリッジ部材
１１４ａ  ：風止め部材
１１４ｂ  ：風止め部材
１１５    ：樹脂上枠
１１５ａ  ：顎部
１２      ：下枠
１２１    ：室外下枠
１２１ａ  ：室外側下レール
１２１ｂ  ：網戸下レール
１２２    ：室内下枠
１２２ａ  ：室内側下レール
１２３    ：ブリッジ部材
１２４    ：樹脂カバー部材
１２５    ：樹脂下枠
１２５ａ  ：顎部
１３      ：左縦枠
１３１    ：左縦枠本体
１３１ａ  ：内周突壁
１３２    ：樹脂左縦枠
１３２ａ  ：本体部
１３２ｂ  ：顎部
１３２ｃ  ：気密部
１４      ：右縦枠
１４１    ：右縦枠本体
１４１ａ  ：内周突壁
１４２    ：樹脂右縦枠
１４２ａ  ：本体部
１４２ｂ  ：顎部
２        ：内障子
２１      ：上框
２１ａ    ：パネル間口
２１１    ：金属上框
２１１ａ  ：室外側間口壁
２１１ｂ  ：開口部
２１２    ：樹脂上框
２１２ａ  ：室内側間口壁
２１２ｂ  ：ヒレ部
２２      ：下框
２２ａ    ：パネル間口
２２１    ：金属下框
２２１ａ  ：室外側間口壁
２２１ｂ  ：開口部
２２２    ：樹脂下框
２２２ａ  ：室内側間口壁
２２２ｂ  ：ヒレ部
２２２ｃ  ：ヒレ部
２３      ：右縦框
２３ａ    ：パネル間口
２３１    ：金属左縦框
２３１ａ  ：室外側間口壁
２３２    ：樹脂左縦框
２３２ａ  ：室内側内周部
２４      ：戸先框
２４ａ    ：パネル間口
２４１    ：金属右縦框
２４１ａ  ：室外側間口壁
２４１ｂ  ：開口部
２４２    ：樹脂右縦框
２４２ａ  ：室内側間口壁
２５      ：パネル体
３        ：外障子
３１      ：上框
３１１    ：金属上框
３１１ｂ  ：開口部
３１２    ：樹脂上框
３１２ｂ  ：ヒレ部
３２      ：下框
３２１    ：金属下框
３２１ｂ  ：開口部
３２２    ：樹脂下框
３３      ：戸先框
３３１    ：金属左縦框
３３１ｂ  ：開口部
３３２    ：樹脂左縦框
３４      ：召合框
３４１    ：金属右縦框
３５      ：パネル体
４        ：網戸障子
５        ：枠体
５１      ：上枠
５１１    ：上枠本体
５１１ａ  ：室内側上レール
５１１ｂ  ：室外側上レール
５１１ｃ  ：室内側壁
５１２    ：風止め部材
５２      ：下枠
５２１    ：下枠本体
５２１ａ  ：室内側下レール
５２１ｂ  ：室外側下レール
５２１ｃ  ：室内側壁
５３      ：左縦枠
５３１    ：右縦枠本体
５３１ａ  ：当接壁
５４      ：右縦枠
５４１    ：右縦枠本体
５４１ａ  ：当接壁
６        ：内障子
６１      ：上框
６１ａ    ：パネル間口
６１ｂ    ：開口部
６２      ：下框
６２ａ    ：パネル間口
６２ｂ    ：開口部
６２１    ：補強部材
６２２    ：補強部材
６２３    ：車輪
６３      ：召合框
６３ａ    ：左縦框本体
６３ｂ    ：パネル間口
６３１    ：補強部材
６３２    ：補強部材
６４      ：戸先框
６４ａ    ：右縦框本体
６４ｂ    ：パネル間口
６４ｃ    ：戸先開口部
６４１    ：補強部材
６４２    ：補強部材
６５      ：パネル体
７        ：外障子
７１      ：上框
７１ｂ    ：開口部
７２      ：下框
７２ａ    ：パネル間口
７２ｂ    ：開口部
７２１    ：補強部材
７２２    ：補強部材
７３      ：戸先框
７３ａ    ：左縦框本体
７３ｂ    ：パネル間口
７３ｃ    ：戸先開口部
７３１    ：補強部材
７３２    ：補強部材
７４      ：召合框
７４ａ    ：右縦框本体
７４ｂ    ：パネル間口
７４１    ：補強部材
７４２    ：補強部材
７５      ：パネル体
８１      ：クレセント錠
８２      ：クレセント受け
８３      ：防火クレセント錠
８４      ：防火クレセント受け
【図１】
2018021446.tif 000003
【図２】
2018021446.tif 000004
【図３】
2018021446.tif 000005
【図４】
2018021446.tif 000006
【図５】
2018021446.tif 000007
【図６】
2018021446.tif 000008
【図７】
2018021446.tif 000009
【図８】
2018021446.tif 000010